(57)【要約】    【課題】  地震時における垂直方向からの縦揺れ及び水平方向からの横揺れに対して耐震性を高める。    【解決手段】  地盤２上に設けられる建造物１の基礎３の下部に前記地盤２の密度より小さい浮力用基盤10を埋設する。基礎３及び浮力用基盤10の周囲に粒状化した発泡スチロール16を充填して緩衝領域15とする。地震による垂直方向の縦揺れに対し、浮力用基盤10によって振動が減衰し、水平方向の横揺れに対しては粒状化した発泡スチロール16からなる緩衝領域15によって振動が減衰し、地震時に建造物２に加わる曲げモーメント、せん断力などを大幅に低減することができる。【選択図】      図２
2005146611.tif 000002
【特許請求の範囲】
【請求項１】
地盤上に設けられる建造物の基礎の下部に前記地盤の密度より小さい浮力用基盤を埋設するとともに、前記基礎の周囲を囲繞する緩衝領域を埋設したことを特徴とする建造物における免震基礎構造。
【請求項２】
前記緩衝領域が前記地盤の密度より小さいことを特徴とする請求項１記載の建造物における免震基礎構造。
【請求項３】
前記浮力用基盤が強化発泡スチロールから構成されるとともに、前記緩衝領域が粒状化した発泡スチロールからから構成されていることを特徴とする請求項１又は２記載の建造物における免震基礎構造。
【発明の詳細な説明】
【技術分野】
【０００１】
本発明は、木造建築などの建造物における免震基礎構造に関する。
【背景技術】
【０００２】
従来、この種のものとして例えば、特許文献１には地盤上に設けられる建造物の基礎の下部に地盤の密度より小さい浮力用基盤を埋設した基礎構造及びその構築工法が開示されている。これは、建造物の基礎の全域において、前記基盤の単位面積当りの浮力を、前記建造物及び前記基礎の単位面積当りの荷重から単位面積当りの地盤強度を引いた値にほぼ等しくして、前記建造物の基礎の全域において基盤を調節して建造物を均一に支持するものであって浮力用基盤により建造物の沈下を防止できるばかりでなく、耐震性も向上も向上する。
【特許文献１】特開２００３−１３４６０号公報
【発明の開示】
【発明が解決しようとする課題】
【０００３】
従来技術においては、主に垂直方向からの縦揺れに対しては、浮力用基盤による緩衝作用により耐震性が向上するものの、水平方向からの横揺れに対しては、効果がなく、地震時における構造物の損壊、倒壊などを防止することはできない。
【０００４】
そこで、本発明は、垂直方向からの縦揺れ及び水平方向からの横揺れに対して耐震性を高めることができる建造物における免震基礎構造を提供することを目的とする。
【課題を解決するための手段】
【０００５】
請求項１の発明は、地盤上に設けられる建造物の基礎の下部に前記地盤の密度より小さい浮力用基盤を埋設するとともに、前記基礎の周囲を囲繞する緩衝領域を埋設したことを特徴とする。
【０００６】
これによると、主に垂直方向からの縦揺れに対しては、建造物の基礎を支持する浮力用基盤によって耐震性が向上し、水平方向からの横揺れに対しては、基礎の周囲を囲繞する緩衝領域によって耐震性が向上する。
【０００７】
請求項２の発明は、請求項１記載の建造物における免震基礎構造において、前記緩衝領域が前記地盤の密度より小さいことを特徴とする。
【０００８】
これによると、水平方向からの横揺れに対しては、地盤の密度より小さい緩衝領域による減衰作用により、建造物や地下埋設部分に過大な強制変形が作用することはない。
【０００９】
請求項３の発明は、請求項１又は２記載の建造物における免震基礎構造は、前記浮力用基盤が強化発泡スチロールから構成されるとともに、前記緩衝領域が粒状化した発泡スチロールからから構成されていることを特徴とする。
【００１０】
これによると、強化発泡スチロールで建造物の基礎を支持することで、沈下応力の増加を防ぎ、軟弱な地盤であっても建造物の沈下を抑制し安定を保つことができるとともに、垂直方向からの縦揺れに対しては、強化発泡スチロールによる減衰用により、耐震性が向上する。また、緩衝領域が粒状化した発泡スチロールからから構成されているから、粒状化した発泡スチロールにより減衰作用が向上する。
【発明の効果】
【００１１】
請求項１の発明は、地盤上に設けられる建造物の基礎の下部に前記地盤の密度より小さい浮力用基盤を埋設するとともに、前記基礎の周囲を囲繞する緩衝領域を埋設したものであり、垂直方向からの縦揺れ及び水平方向からの横揺れに対する耐震性が向上する。
【００１２】
請求項２の発明は、請求項１記載の建造物における免震基礎構造において、前記緩衝領域が前記地盤の密度より小さいものであり、地盤の密度より小さい緩衝領域による減衰作用により、水平方向からの横揺れに対する耐震性がさらに向上する。
【００１３】
請求項３の発明は、請求項１又は２記載の建造物における免震基礎構造は、前記浮力用基盤が強化発泡スチロールから構成されるとともに、前記緩衝領域が粒状化した発泡スチロールからから構成されてものであり、軟弱な地盤であっても建造物の沈下を抑制し安定を保つことができるとともに、垂直方向からの縦揺れする耐震性並びに粒状化した発泡スチロールにより減衰作用により水平方向からの横揺れする耐震性が向上する。
【発明を実施するための最良の形態】
【００１４】
以下、本考案の実施例を図１〜図３を参照して説明する。
以下、本発明の実施形態を添付図を参照して一実施形態を説明する。1、２、３階建ての建造物１を設置する場所の地盤２に、１階箇所を支持するコンクリートからなる基礎３が設けられている。この基礎はフーチングなどと称せられる幅広な下部４上に幅狭な立上り部５を設けたもので、この立上り部５の上面に土台（図示せず）が載置される。
【００１５】
前記基礎３の下部に埋設する浮力用基盤10は、前記基礎３の下部に前記地盤２の密度より小さい基盤を埋設して形成するものである。該浮力用基盤10は、地盤強度を予め計測、調査し、そして地盤２を掘削した穴に地盤２の密度より小さい浮力用基盤10を埋設する。浮力用基盤10としては、軽量で、必要な圧縮強度を有するものであればよく、例えば、強化発泡スチロール11からなる。また、浮力用基盤10の強度は、建造物１の構造により異なるが一般的には１０〜２００ＫＮ／平方メートルである。また、その密度は土より密度が小さい材料である。そして、浮力用基盤10上に図示しないプラスチックシート等の防水布を敷設後に、その上面に形枠（図示せず）を設置した後に、該形枠にコンクリートを流し込んで基礎３を形成するものである。
【００１６】
15は基礎３及び浮力用基盤10を囲繞する緩衝領域であり、地盤２の密度より小さい粒状化した発泡スチロール16からなるものであり、基礎３及び浮力用基盤10に周囲を掘削し、その溝に粒状化した発泡スチロール16を充填し、土砂を埋め戻すことによって、発泡スチロール16が地盤２に埋設され、基礎３及び浮力用基盤10に周囲に緩衝領域15が形成される。
【００１７】
次に前記構成についてその作用を説明する。地盤２に強化発泡スチロール11を埋設し、これを浮力用基盤10とし、該浮力用基盤10上に基礎３、建造物１を設けるとともに、基礎２及び浮力用基盤10の周囲を掘削し、その溝に粒化した発泡スチロール16を充填して緩衝領域15を設ける。そして、基礎２、建造物１の荷重を、地盤２を掘削した排土砂の荷重とバランスさせることにより、地中応力の増加を少なくして、いわゆるフローティング基礎構造とすることができ、排除する土砂の荷重を建造物２と基礎３との荷重近くまで大きくし、土砂より密度が小さい材料の浮力用基盤10を敷設することで沈下応力の増加を防ぎ、軟弱な地盤２であっても建造物１の沈下を抑制し安定を保つことができるとともに、地震による垂直方向の縦揺れに対し、浮力用基盤10によって振動が減衰し、耐震性が向上する。さらに、地震による水平方向の横揺れに対しては粒状化した発泡スチロール16からなる緩衝領域15によって振動が減衰し、地震時に建造物２に加わる曲げモーメント、せん断力などを大幅に低減することができる。このように、縦揺れ及び横揺れに対する耐震性を大幅に向上することができ、耐震補強策としてきわめて有効な手段となる。
【００１８】
尚、本発明は上記実施例に限定されるものではなく、本発明の要旨の範囲内において、種々の変形実施が可能である。例えば建造物の形状に対応して前記建造物の基礎の底面全域において浮力用基盤を設ければよいものであるので、建造物の形状応じて浮力用基盤は種々に変形するものである。
【図面の簡単な説明】
【００１９】
【図１】本発明の一実施形態を示す平面図である。
【図２】本発明の一実施形態を示す断面図である。
【図３】本発明の一実施形態を示す要部の拡大断面図である。
【符号の説明】
【００２０】
１  建造物
２  地盤
３  基礎
10  浮力用基盤
11  強化発泡スチロール
15  緩衝領域
16  粒状化した発泡スチロール
【図１】
2005146611.tif 000003
【図２】
2005146611.tif 000004
【図３】
2005146611.tif 000005